(57)【要約】【課題】  作業者の技量に左右されることがなく、作業性と防水性にすぐれた窓上又は窓下の防水構造を安価に提供することにある。【解決手段】  窓上又は窓下の防水構造であって、窓枠上部又は下部のそれぞれに外壁材６の裏面側に配設される立ち上がり２又は外壁材６の表面側に配設される立ち下がりを設け、立ち上がり２又は立ち下がりと外壁材６との間が水密になされていることを特徴とする。【選択図】  図１
2005042469.tif 000002
【特許請求の範囲】
【請求項１】
窓枠上部又は下部のそれぞれに外壁材の裏面側に配設される立ち上がり又は外壁材の表面側に配設される立ち下がりを設け、立ち上がり又は立ち下がりと外壁材との間が水密になされていることを特徴とする窓上又は窓下の防水構造。
【請求項２】
前記立ち上がり又は立ち下がりの外壁側に粘着性を有する水密材が貼設されていることを特徴とする請求項１記載の窓上又は窓下の防水構造。
【発明の詳細な説明】
【技術分野】
【０００１】
本発明は、窓上又は窓下の防水構造に関する。
【背景技術】
【０００２】
これまでの一般的な窓枠の納まりには、外壁材と窓枠との間にコーキング材処理を行うことで防水性能を確保していたが、コーキング処理には作業者の技量による品質のバラツキが生じたり、コーキング材の劣化等により防水性能を確保できなくなるという問題があった。
上記の改善策として、従来、特許文献１に記載されているような、水切り材で外壁材と窓枠との間を防水した窓上又は窓下の防水構造が知られている。このような防水構造において、水切り材は傾斜部、下延部、上延部とからなり、上延部の屋外面には、粘着性の水密材と、この水密材より厚みの大きい粘着性のない発泡体とが貼設されている。
【特許文献１】特開２００１−７３４７６号公報
【発明の開示】
【発明が解決しようとする課題】
【０００３】
しかしながら、上記特許文献１記載のような従来技術にあっては、水切り材と窓枠間の防水および水切り材と外壁材間の防水が必要になるため、防水処理の作業性が悪化したり、防水処理に部材費用が余分にかかるという問題があった。
【０００４】
本発明の課題は、作業者の技量に左右されることがなく、作業性と防水性にすぐれた窓上又は窓下の防水構造を安価に提供することにある。
【課題を解決するための手段】
【０００５】
請求項１記載の発明は、窓枠上部又は下部のそれぞれに外壁材の裏面側に配設される立ち上がり又は外壁材の表面側に配設される立ち下がりを設け、立ち上がり又は立ち下がりと外壁材との間が水密になされていることを特徴とする窓上又は窓下の防水構造である。
【０００６】
請求項２記載の発明は、請求項１記載の窓上又は窓下の防水構造において、前記立ち上がり又は立ち下がりの外壁材側に粘着性を有する水密材が貼設されていることを特徴とする。
【発明の効果】
【０００７】
請求項１記載の本発明の窓上又は窓下の防水構造は、窓枠上部又は下部のそれぞれに外壁材の裏面側に配設される立ち上がり又は外壁材の表面側に配設される立ち下がりを設けているので、別部材として水切り材を取り付ける手間と部材費用が省け、作業性がすぐれ安価である。そして、立ち上がり又は立ち下がりと外壁材との間が水密になされているので、防水性を確保できる。
【０００８】
請求項２記載の本発明の窓上又は窓下の防水構造は、さらに、前記立ち上がり又は立ち下がりの外壁側に粘着性を有する水密材が貼設されているので、水密材が外壁材の裏面に密着し、防水性にすぐれる。また、コーキング材等を施す必要がないため、作業者の技量に左右されることがない。
【発明を実施するための最良の形態】
【０００９】
図１と図２は、本発明の一実施形態であって、図１は窓枠上部に外壁材を取り付けた窓上の防水構造を示す断面図である。図２は外壁材取付前の窓枠上部の斜視図である。
【００１０】
本実施の形態は、図１に示すように、窓上の防水構造であって、サッシ上枠１に外壁材６の裏面側に配設される立ち上がり２を設け、立ち上がり２と外壁材６の裏面側との間が水密になされている。サッシ枠は、障子戸を嵌め込むもので、上記サッシ上枠１と、サッシ下枠（不図示）と、両側のサッシ縦枠３，３とから矩形状に枠組されている。サッシ枠はアルミニウム製の型材で形成され、サッシ上枠１は、長尺四角筒体で形成され、上記立ち上がり２は、このサッシ上枠１の長手方向に沿って、四角筒体の室内側上部の一角部から上方に向かって延設されている。また、サッシ上枠１の屋外側面には、枠本体から離れた垂下片を備えた横転Ｌ字形の水切り１１が一体に設けられている。サッシ縦枠３の上端は、略正方形板の上キャップ４によって蓋され、前記立ち上がり２は、このサッシ縦枠３の上端部にまで連続するように設けられている。
【００１１】
上記窓上の防水構造において、前記立ち上がり２の外壁側に粘着性を有する水密材７が貼設されている。この水密材７は、シート状発泡ポリエチレンの両面にブチルゴム系の粘着剤を塗布した両面ブチルテープであって、厚さ２ｍｍ×幅１５ｍｍの長尺体であり、立ち上がり２の長手方向に沿って連続している。両面ブチルテープである水密材７の一方の面は、立ち上がり２の外壁側面に接着され、他方の面は外壁材６の裏面に張り付けられた鉄板６１に接着される。また、外壁材６の下端部とサッシ上枠との間には、隙間を設けて紐状のシーラー８が充填されている。このシーラー８は、断面四角形の紐状発泡体の上下面にブチルゴム系の粘着剤を塗布したもので、厚さ１５ｍｍ×幅１２ｍｍｍの長尺体であり、立ち上がり２の長手方向に沿って連続している。
【００１２】
つぎに、図２を参照して、上記窓上の防水構造の施工方法を説明する。予め、サッシ上枠１の立ち上がり２の上下方向略中央部に沿って、水密材７（両面ブチルテープ）を貼設し、その下方に両面粘着性の紐状シーラー８を貼設しておく。このサッシ枠を、サッシ枠の横幅と略同じ間隔で立設されたスタッド５（間柱）に取り付ける。この後、ブチルコーキング材９を用いサッシ枠の四隅を貼設し、窓上の外壁材６を取り付ける。
【００１３】
（本実施の形態の効果）
本実施の形態の窓上の防水構造は、サッシ上枠１に外壁材６の裏面側に配設される立ち上がり２を設けているので、別部材として水切り材を取り付ける手間と部材費用が省け、作業性がすぐれ、安価である。そして、立ち上がり２と外壁材６の裏面側との間に両面ブチルテープからなる水密材７を貼設することによって水密になされているので、水密材７が外壁材６の裏面に密着し、防水性にすぐれる。また、コーキング材９は、サッシ枠の四隅を貼設するときだけ用いるので、作業者の技量にあまり左右されることがない。
【００１４】
以上、本発明の一実施の形態を図面により詳述したが、本発明の具体的な構成はこの実施の形態に限られるものではなく、本発明の要旨を逸脱しない範囲の設計の変更等があっても本発明に含まれる。例えば、窓下に立ち下がりを設けて防水処理する窓下の防水構造であってもよい。
【産業上の利用可能性】
【００１５】
別部材としての水切り材を省くことによって、施工の工数と部材費用を軽減した窓上又は窓下の防水構造に適用できる。
【図面の簡単な説明】
【００１６】
【図１】本発明の一実施形態であって、窓枠上部に外壁材を取り付けた窓上の防水構造を示す断面図である。
【図２】外壁材取付前の窓枠上部の斜視図である。
【符号の説明】
【００１７】
１  サッシ上枠
２  立ち上がり
６  外壁材
７  水密材
【図１】
2005042469.tif 000003
【図２】
2005042469.tif 000004